(57)【特許請求の範囲】
【請求項１】
周波数多重トランシーバーにおいて、
ベースバンドブロック（１８）、局部発振器（６）を有する送信分路（Ｓ１）及び第１の受信分路（Ｅ１）は、相互に種々異なる周波数で同時に送受信されるように相互に接続されており、
前記局部発振器（６）によって供給される混合器（１１）を有する補助送信分路（Ｓ２）は、前記第１の受信分路（Ｅ１）と接続されていて、前記受信信号（Ｅ１）に対して信号を加算し、該信号の位相は、前記第１の受信分路（Ｅ１）内の漏話成分の位相に対して、加算乃至重畳点で１８０°だけずらされ、且つ、送信信号と同じ周波数領域を有しており、
前記補助送信分路（Ｓ２）は、前記第１の送信分路（Ｓ１）とは独立して、前記ベースバンドブロック（１８）によって、前記混合器（１１）の出力側に補償信号が出力されるように供給可能である
ことを特徴とする周波数多重トランシーバー。
【請求項２】
ベースバンドブロック（１８）は、送信分路（Ｓ１）の漏話を検出して、漏話の検出に依存して補助送信分路（Ｓ２）に信号を供給する請求項１記載の周波数多重トランシーバー。
【請求項３】
ベースバンドブロック（１８）は、送信分路（Ｓ１）の漏話の振幅及び位相を、送信周波数の関数として検出する請求項２記載の周波数多重トランシーバー。
【請求項４】
送信分路（Ｓ１）の漏話の検出のために、受信信号及び漏話は、フィルタリングにより除去されずにベースバンドブロック（１８）に供給される請求項２又は３記載の周波数多重トランシーバー。
【請求項５】
送信分路（Ｓ１）の漏話の検出のために、第２の受信分路（Ｅ２）が設けられており、該第２の受信分路は、別の混合器（１２）を有しており、該別の混合器は、丁度使用されている送信周波数に基づいて前記漏話をダウンコンバートする請求項２又は３記載の周波数多重トランシーバー。
【請求項６】
ベースバンドブロック（１８）は、送信分路（Ｓ１）の、検出される漏話が最小になるように、補助送信分路（Ｓ２）に信号を供給する請求項１から５迄の何れか１記載の周波数多重トランシーバー。
【請求項７】
ベースバンドブロック（１８）は、周波数領域内で反転された送信信号に漏話の伝達関数を乗算して得られた信号を、補助送信分路（Ｓ２）に供給する請求項１から６迄の何れか１記載の周波数多重トランシーバー。
【請求項８】
ベースバンドブロック（１８）は、時間領域内で送信信号に漏話を畳込み計算して得られた信号を、補助送信分路（Ｓ２）に供給する請求項１から７迄の何れか１記載の周波数多重トランシーバー。
【請求項９】
周波数多重トランシーバーでの漏話の消去方法において、
ベースバンドブロック（１８）、送信分路（Ｓ１）及び第１の受信分路（Ｅ１）を、相互に種々異なる周波数で同時に送受信し、
前記第１の受信分路（Ｅ１）と接続されている補助送信分路（Ｓ２）により、前記受信信号（Ｅ１）に対して信号を加算し、該信号の位相を、前記第１の受信分路（Ｅ１）内の漏話成分の位相に対して、加算乃至重畳点で１８０°だけずらし、その際、前記信号を、送信信号と同じ周波数乃至周波数領域を有しているようにし、
前記ベースバンドブロック（１８）によって、前記補助送信分路（Ｓ２）に、前記送信分路（Ｓ１）とは独立に信号を供給して、漏話を最小にする
ことを特徴とする周波数多重トランシーバーでの漏話の消去方法。
【請求項１０】
ベースバンドブロック（１８）によって、送信分路（Ｓ１）の漏話を検出し、補助送信分路（Ｓ２）に漏話の検出に依存して信号を供給する請求項９記載の方法。
【請求項１１】
ベースバンドブロック（１８）によって、送信分路（Ｓ１）の漏話の振幅及び位相を、送信周波数の関数として検出する請求項１０記載の方法。
【請求項１２】
送信分路（Ｓ１）の漏話の検出のために、受信信号及び漏話を、フィルタリングにより除去せずにベースバンドブロック（１８）に供給する請求項１０又は１１記載の方法。
【請求項１３】
送信分路（Ｓ１）の漏話の検出のために、第２の受信分路（Ｅ２）を設け、該第２の受信分路に、別の混合器（１２）を設け、該別の混合器により、丁度使用されている送信周波数に基づいて前記漏話をダウンコンバートする請求項１０又は１１記載の方法。
【請求項１４】
ベースバンドブロック（１８）により、周波数領域内で反転された送信信号に漏話の伝達関数を乗算して得られた信号を、補助送信分路（Ｓ２）に供給する請求項９から１３迄の何れか１記載の方法。
【請求項１５】
ベースバンドブロック（１８）により、時間領域内で送信信号に漏話を畳込み計算して得られた信号を、補助送信分路（Ｓ２）に供給する請求項９から１４迄の何れか１記載の方法。
【発明の詳細な説明】
【０００１】
本発明は、請求項１乃至９の上位概念に記載の周波数多重トランシーバー及び周波数多重トランシーバーでの漏話の消去方法に関する。
【０００２】
モービル無線装置の構成の際、ＨＦ段を強い干渉信号又は他の不所望な信号による過負荷から保護する手段を設ける必要がある。干渉信号の電位源は、トランシーバーが所謂全２重周波数多重モードで作動される場合に、トランシーバーの送信分路によって発生される漏話である。この作動モードで、送信分路によって形成された漏話が非常に強い場合、トランシーバーの受信分路は、殊に、比較的弱い受信信号レベルの場合には十分に作動しないことがある。
【０００３】
他方、所謂ソフトウェアにより定義されたモービル無線装置又は同様のテレコミュニケーション装置では、ＨＦ段によって非常に広幅な（例えば、数百メガヘルツ領域〜ギガヘルツ領域）周波数スペクトルがカバーされる。その理由は、モービル無線装置は、将来場合によっては複数の基準（ＧＳＭ，ＤＥＣＴ，ＵＭＴＳ等）もカバーする必要がある点にある。
【０００４】
更に、ソフトウェアにより定義されたモービル無線装置により、２重通信の間隔を可変且つフレキシブルに調整することができる。従って、この場合に、送信分路からの漏話が特に臨界点であり、この臨界点は、検出される必要がある。
【０００５】
理論的には、送信分路によって発生される漏話の、その種の消去に関しては、フィルタのように作用する送受切替器、帯域通過フィルタ、又は、帯域遮断フィルタを使用して、受信分路内の漏話を低減することができる。この技術思想は、当然、ソフトウェアにより定義されたテレコミュニケーション無線装置でも使用することができる。しかし、それに対して、一般的にソフトウェアにより定義された装置では、このことは該当しない。つまり、この場合には、例えば、フィルタ又は送受切替器を同調可能に構成して、可変の周波数帯域又は送受切替器間隔を使用することができるようにする必要がある。その種の同調可能なフィルタ、送受切替器等は、しかし構成するのが難しく、今のところ、大きさ、重量、エネルギ消費及び直線性の要求に起因して、モービル無線装置等の製品用には使用できない。
【０００６】
要するに、漏話を消去するのを困難にしている２つの基本的な問題点がある：
ａ）殊に、複数の基準（ＤＥＣＴ，ＵＭＴＳ，ＧＳＭ）に従って作動するモービル無線装置によってカバーされる必要がある大きな送信／受信周波数領域、及び
ｂ）伝送帯域幅自体内での漏話の周波数依存性（周波数特性）
漂遊電磁界の影響を低減するための別の公知の技術は、ＨＦ段での漏話のアナログ消去である。この技術によると、送信分路の送信電力の一部分が消去信号として分岐され、送信信号に関して１８０°位相シフトされて、受信分岐内の送信信号と同じ周波数と結合される。そのために、減衰素子及び移相器が設けられる。しかし、伝送帯域幅自体内で漏話の周波数依存性（周波数特性）がある場合には、所要の１８０°移相は殆ど達成できない。と言うのは、減衰素子及び移相器は、一般に平坦な伝送曲線を有しているからである。
【０００７】
従って、本発明が基づく課題は、伝送帯域幅自体内での漏話及び／又は複数基準をカバーするモービル無線装置での漏話の周波数依存性（周波数特性）の場合でも十分に満足できる結果が達成できる、周波数多重トランシーバーでの漏話を消去するための技術を提供することである。
【０００８】
本発明によると、この課題は、独立請求項記載の要件により解決される。本発明の核心的な技術思想の特に有利な実施例は、従属請求項から得られる。
【０００９】
本発明によると、周波数多重トランシーバーが設けられており、周波数多重トランシーバーは、ベースバンドブロック、局部発振器を有する送信分路及び第１の受信分路を有している。送信分路及び第１の受信分路は、相互に種々異なる周波数で同時に送受信する（全２重技術）。更に、局部発振器に依存して信号を供給される混合器を有する所謂補助送信分路が設けられており、その際、この補助送信分路は、第１の受信分路と接続されていて、受信信号に対して信号を加算し、該信号の位相は、受信分路内の漏話成分の位相に対して、加算乃至重畳点で１８０°だけずらされており、その際、この信号は、送信信号と同じ周波数領域を有している。つまり、漏話のアクティブ消去が行われている。本発明によると、補助送信分路は、送信分路とは独立して、ベースバンドブロックによって信号を供給可能である。
【００１０】
ベースバンドブロックは、送信分路の漏話を検出して、それから、補助送信分路に漏話の検出に依存して信号を供給することができる。
【００１１】
ベースバンドブロックは、送信分路の漏話の振幅及び位相を、送信周波数の関数として検出することができる。
【００１２】
送信分路の漏話の検出のために、有利には、受信信号及び漏話は、フィルタリングにより除去されずにベースバンドブロックに供給されるようにすることができる。
【００１３】
送信分路の漏話の検出のために、第２の受信分路が設けられており、該第２の受信分路は、別の混合器を有しており、該別の混合器は、丁度使用されている送信周波数に基づいて漏話をダウンコンバートするようにすることができる。
【００１４】
ベースバンドブロックは、送信分路の、検出される漏話が最小になるように、補助送信分路に信号を供給することができる。
【００１５】
ベースバンドブロックは、周波数領域内で反転された送信信号に漏話の伝達関数を乗算して得られた信号を、補助送信分路に供給する（請求項７）ことができる。つまり、補助送信分路用のベースバンドブロックによって形成された信号には、周波数領域内に、漏話の（周波数スペクトル）の伝達関数の乗算成分が、同様に周波数空間内で計算されずに反転された送信信号と共に存在する。漏話の周波数依存性は検出されるので、この周波数依存性は、通常のように、周波数スペクトルの形式で形成される。この周波数依存性は、反転送信信号用の重み付けを形成するが、しかし、この反転送信信号を周波数スペクトル空間内に換算する必要がある。従って、周波数空間内での補助送信分路用の信号、つまり、時間空間のフーリエ変換された信号が考慮される。
【００１６】
時間領域内で、ベースバンドブロックは、時間領域内で送信信号に漏話を畳込み計算して得られた信号を、補助送信分路に供給する（請求項８）ことができる。つまり、反転送信信号の重み付けが、漏話の周波数依存値と共に周波数空間内で算出されるが、信号処理は時間空間内で行われるので、畳込み計算し、時間領域内で、補助送信分路用の信号を考察する必要がある。
【００１７】
本発明によると、更に、周波数多重トランシーバーでの漏話の消去方法が提案されている。周波数多重トランシーバーは、ベースバンドブロック、送信分路及び第１の受信分路を有しており、相互に種々異なる周波数で同時に送受信する。更に、補助送信分路が設けられており、この補助送信分路は、第１の受信分路と接続されていて、受信信号に対して信号を加算し、該信号の位相を、漏話成分の位相に対して、加算乃至重畳点で１８０°だけずらし、その際、信号を、送信信号と同じ周波数乃至同じ周波数領域を有しているようにし、その結果、漏話をアクティブに消去することができる。その際、ベースバンドブロックは、補助送信分路に、送信分路とは独立に信号を供給して、漏話を最小にする。
【００１８】
ベースバンドブロックによって、送信分路の漏話を検出し、補助送信分路に漏話の検出に依存して信号を供給することができる。
【００１９】
ベースバンドブロックによって、送信分路の漏話の振幅及び位相を、送信周波数の関数として検出することができる。
【００２０】
送信分路の漏話の検出のために、受信信号及び漏話を、フィルタリングにより除去せずにベースバンドブロックに供給する（請求項１２）ことができる。
【００２１】
送信分路の漏話の検出のために、第２の受信分路を用いることができ、該第２の受信分路で、丁度使用されている、送信分路の送信周波数に基づいて漏話を低減することができる。
【００２２】
ベースバンドブロックにより、周波数領域内で反転された送信信号に漏話の伝達関数を乗算して得られた信号を、補助送信分路に供給することができる。
【００２３】
ベースバンドブロックにより、時間領域内で送信信号に漏話を畳込み計算して得られた信号を、補助送信分路に供給することができる。
【００２４】
以下、本発明について図示の実施例を用いて詳細に説明する。それにより、本発明の別の特徴、特性及び利点が明らかとなる。
【００２５】
その際、図には、本発明の周波数多重トランシーバーの実施例のブロック図が示されている。
【００２６】
図から分かるように、電力増幅器３乃至ノイズの少ない受信増幅器４とベースバンドブロック１８との間に全部で４つの送受信分路が設けられており、即ち：
−信号の読み出しのために使用される本来の送信分路Ｓ１、
−信号の受信のために使用される本来の第１の受信分路Ｅ１、
−本来の送信機能はないが、第１の送信分路Ｓ１の漏話のアクティブな消去のためだけに使用される所謂補助送信分路Ｓ２、
−第１の受信分路Ｅ１と異なって本来の受信機能はないが、全２重（デユプレックス）作動での送信分路Ｓ１によって生じる漏話の検出のためだけに使用される第２の受信分路Ｅ２が設けられている。
【００２７】
以下、図示の本発明の、全２重方式で作動される周波数多重トランシーバーの個別分路について、詳細に説明する。
【００２８】
先ず、その際、送信分路Ｓ１について説明する。送信すべきデータは、ベースバンドブロック１８から、例えば、第１の中間周波数ＴＸ１でデジタル／アナログ変換器８に供給される。このデジタル／アナログ変換器８は、それから、データのＩ成分とＱ成分とを混合器７に供給し、混合器７は、周波数ＴＸＬＯの局部発振器６と接続されており、従って、送信すべきデータを送信周波数領域に変換する。混合器７の出力信号は、電力増幅器３に出力され、この電力増幅器は、送受切替器２を用いてアンテナ１と接続されている。送受信作動のために、種々異なる２つのアンテナが用いられている場合、当然、送受切替器２は必要ない。
【００２９】
次に、第１の受信分路Ｅ１について説明する。全２重作動では、第１の送信分路Ｓ１での送信作動と同時に、信号がアンテナ１によって受信され、送受切替器２を用いてノイズの少ない受信増幅器（ＬＮＡ，Ｌｏｗ  Ｎｏｉｓｅ  Ａｍｐｌｉｆｉｅｒ）に供給される。受信増幅器４の出力信号は、混合器１０に出力され、混合器は、受信周波数ＲＸＬＯの局部発振器９と接続されている。従って、受信信号は、中間周波数ＲＸ１にダウンコンバートされ、受信信号のＩ成分及びＱ成分が検出され、第１のフィルタ１３を用いてＡＤ変換器１６に供給され、ＡＤ変換器は、そのようにしてデジタル化されたデータを、それから、ベースバンドブロックに供給する。
【００３０】
次に、補助送信分路Ｓ２について説明する。この補助送信分路Ｓ２には、送信分路Ｓ１から独立してベースバンドブロック１８によって、信号が供給される。つまり、補助送信分路Ｓ２用の送信信号のベースバンド信号がＤＡ変換器１４に出力される。このＤＡ変換器は、それから、相応のＩ′／Ｑ′成分を第２の中間周波数ＴＸ２で混合器１１に供給する。混合器１１は、供給されたデータ、即ち、Ｉ′／Ｑ′成分を送信周波数ＴＸＬ０に変換し、この送信周波数は、送信分路Ｓ１で丁度使用されている単数乃至複数の周波数乃至周波数帯域に丁度相応する。その際、補助送信分路Ｓ２は、ベースバンドブロック１８によって、補助送信分路Ｓ２内の信号の位相が、第１の受信分路Ｅ１での漏話成分に対して正確に１８０°だけ偏移されるようにされる。
【００３１】
補助送信分路Ｓ２の混合器１１の出力信号は、更に増幅器５によって電力増幅され、それから、カップラ１９に供給されて、そのようにして増幅された信号が第１の受信分路Ｅ１内で入力結合される。ベースバンドブロック１８によって、補助送信分路Ｓ２に信号が供給されるが、その際、補助送信分路Ｓ２の出力信号がカップラ１９によって第１の受信分路Ｅ１内に入力結合され、それにより、全２重作動中送信分路Ｓ１によって生じる漏話が消去又は少なくとも明らかに低減される。
【００３２】
次に、第２の受信分路Ｅ２について説明する。この受信分路は、以下更に詳細に説明されるように、単にオプションであり、どうしても設けなければならないというわけではない。第２の受信分路Ｅ２で、第１の受信分路Ｅ１の受信増幅器４の出力信号が混合器１２に供給され、混合器は、周波数ＴＸＬ０の送信局部発振器６と接続され、従って、第１の受信分路Ｅ１から取り出された信号が、中間周波数ＲＸ２にダウンコンバートされる。第１の受信分路１の受信増幅器４の出力信号は、本来の受信信号の他に、当然重畳していて全２重作動時の第１の送信分路Ｓ１の漏話を有している点に注意する必要がある。第２の受信分路Ｅ２の混合器１２の出力信号は、ノイズ成分のみを除去するフィルタ回路１５を介してＡ／Ｄ変換器１７に供給され、このＡ／Ｄ変換器は、更に、そのようにデジタル化されたデータをベースバンドブロック１８に供給する。既述のように、第２の受信分路Ｅ２は、単にオプショナルに設けられ、この場合、第１の送信分路Ｓ１の、ことにより周波数に依存する漏話がある場所を検出するために使用される。受信信号、もっと正確に言うと、受信有効信号と、例えば、フィルタ回路の入力側の信号とを区別する必要がある。フィルタ回路の入力側の信号は、種々異なる効果に基づいて抑制すべきノイズ成分を含み、このノイズ成分はフィルタリングにより除去される。この例は、周波数混合の積又は限界周波数の高調波の発生である。送信分路Ｓ１の漏話の検出のために、受信信号及び漏話は、ノイズ成分のみをフィルタリングにより除去するフィルタ回路１５によって除去されずにベースバンドブロック１８に供給されるのであり、つまり、その都度関心のある有効信号成分、つまり、一方では、例えば、音声内容を含む受信信号の有効信号成分、及び、一方では、漏話信号は、出来る限りフィルタリングにより除去されないままである。
【００３３】
次に、図示の全２重（周波数多重）トランシーバーの作動について説明する。本発明によると、漏話成分の消去のために、以下のステップが実施される：
本発明によると、補助送信分路Ｓ２が設けられており、この補助送信分路は、送信分路Ｓ１とは別個にベースバンドブロック１８によって信号を供給されるようにすることができる。この補助送信分路Ｓ２の出力電力、即ち、増幅器５の相応の増幅度は、本来の送信分路Ｓ１の電力増幅器３によって形成される出力電力に較べて著しく小さい。その理由は、カップラが使用されているか、又は、送信信号乃至受信信号の分離のために２つのアンテナが使用されている場合、漏話は、送信分路電力以下の一般的に少なくとも１５ｄＢであるからである。従って、補助送信分路Ｓ２内でのエネルギ消費は、殊に、補助送信増幅器５によるエネルギ消費は、本来の送信分路Ｓ１でのエネルギ消費に較べて非常に小さい。
【００３４】
直ぐ次のステップとして、ベースバンドブロック１８での漏話が検出される。従って、漏話の位相及び振幅が検出される。そのための前提条件は、ベースバンド内でのチャネル選択が行われるという点にある（本発明は、特にソフトウェアディファインドラジオ（"Software Defined Radio"）の技術領域も利用し、つまり、この場合、送信及び受信バンドは、例えば、ＧＳＭ又はＥＧＳＭ標準の場合のように予め固定されておらず、ソフトウェアを介して、どの送信乃至受信バンドを移動電話が丁度利用しているのか、定義され、従って、ベースバンド内において、ソフトウェアディファインドラジオ（"Software Defined Radio"）でチャネル選択が行われる）。つまり、漏話が本来の受信信号に重畳されて、ベースバンドブロック１８にプリフィルタリングにより除去されずに出力される。つまり、漏話信号を含まない信号は、漏話信号の周波数成分を無くすようにフィルタリングにより除去される。フィルタ回路１５は、受信信号内でフィルタリングによる除去を行うという機能を有していない。寧ろ、フィルタ回路１５の役割は、所要のように外部バンドを減衰することにある。第２の受信分路の意味は、漏話信号が、第１の受信分路のフィルタによって、十分な精度で検出することができなくても、漏話信号を特別に検出することができるように変えることにある。殊に、第１の受信分路のフィルタ用の減衰条件は、漏話信号を明瞭に検出することができないようでよい。それに対して、第２の受信分路中のフィルタは、漏話信号を特に良好に検出することができるように最適化することができる。図示の場合のように、本来の受信信号に重畳された漏話が第１の受信分路Ｅ１でフィルタリングにより除去されて（フィルタ１３）ベースバンドブロック１８に供給される場合、付加的な中間周波数回路（混合器１２）を有する第２の受信分路Ｅ２が設けられる。従って、漏話を別個に検出することができる。
【００３５】
直ぐ次のステップとして、漏話の検出後、正確に言うと、漏話の位相も振幅も検出された後、ベースバンドブロック１８内で、アルゴリズムが実行されて、補助送信分路Ｓ２の出力信号の位相及び振幅が、ベースバンドブロック１８による相応の信号供給によって、漏話がアクティブに補償される（カップラ１９）ように調整される。ベースバンドブロック１８による補助送信分路Ｓ２への信号供給は、連続的に検出された漏話が受容可能な所定の限界レベル以下に低下するように行われる。ベースバンドブロック１８で連続的に検出された漏話が、前述の限界レベル以下に低下すると即座に、トランシーバー、即ち、正確に言うと、受信分路Ｅ１が作動され、その際、受信分路Ｅ１の作動が、送信分路Ｓ１からの漏話によって妨げられない。
【００３６】
送信分路Ｓ１の送信帯域幅内の漏話が強い周波数依存度を有している場合、漏話の、この周波数依存度がベースバンドブロック１８内で検出され、評価され、場合によっては、漏話の位相及び振幅が、送信周波数領域内の周波数に依存してベースバンドブロック１８内に記憶される。従って、漏話の程度が周波数の関数として示される伝達関数を、漏話に配属することができるので、送信帯域幅内の漏話が強い周波数依存度を有している場合、補助送信分路Ｓ２には、周波数領域内で反転された送信信号に漏話の伝達関数を乗算して得られた信号が供給される。漏話の程度は、ベースバンド内で周波数に依存して検出されるので、伝達関数の周波数スペクトルは、漏話がカップラーを用いて受信信号から除去される必要があるので、反転送信信号と乗算される必要があるが、周波数に依存しない漏話の簡単な場合には、送信信号の各周波数に対して、漏話の程度は同じであるので、簡単に反転信号を使うことができる。つまり、ソフトウェアにより定義された、信号を時間領域内で処理する、つまり、情報が時間の関数として伝送されるテレコミュニケーション無線装置の場合、ベースバンドブロック１８内で、そのために畳込み計算が実行される。ちなみに、移動電話のようなテレコミュニケーション無線装置では、信号は、時間領域内で処理される。つまり、発呼信号又は入呼信号は、その情報が時間の関数として伝送されるような信号である。例えば、送信増幅器又は受信増幅器も、僅かな減衰で、確実に時間領域内で処理される。これに対して択一的に、時間信号をフーリエ変換により周波数信号に換算してから後続処理するようにしてもいい。
【００３７】
本発明によると、殊にソフトウェア定義テレコミュニケーション無線装置の場合、送信分路からの漏話がアクティブに消去され、即ち、所定の限界レベル以下にされ、その結果、受信分路は、漏話によって最早妨害されない。その際、本発明は、従来技術に対して、送信発振器の側波帯ノイズを抑圧できるという別の利点を有している。
【図面の簡単な説明】
【図１】  本発明の周波数多重トランシーバーの実施例のブロック図
【符号の説明】
１  アンテナ
２  送受切替器
３  送信電力増幅器
４  受信増幅器
５  補助送信増幅器
６  局部発振器（送信分路Ｓ１）
７  混合器
８  Ｄ／Ａ変換器
９  受信局部発振器
１０  混合器
１１  混合器
１２  混合器
１３  フィルタ
１４  Ｄ／Ａ変換器
１５  フィルタ
１６  Ａ／Ｄ変換器
１７  Ａ／Ｄ変換器
１８  ベースバンドブロック
１９  カップラ
Ｓ１：  送信分路
Ｓ２：  補助送信分路
Ｅ１：  第１の受信分路
Ｅ２：  第２の受信分路
【図１】
0003878811.tif 000002